(57)【要約】【課題】  高湿度条件下においてきのこ栽培に必要な電気製品を使用する場合において、接点部分へのさびの発生を防止し、照明灯を長寿命にすると共に、漏電による感電事故を防止することが可能なきのこ栽培装置を提供する。  【解決手段】  多段に形成された栽培棚２０と、各栽培棚２０の上方に、栽培棚２０の長手方向に延びて配設され、栽培棚２０上に載置されたきのこ栽培容器４０に向けて光を放射する照明灯３０とを具備するきのこ栽培装置１００であって、照明灯３０は、多数個の発光ダイオード３２が、防湿性を有する透明保持体３４内に配設されてなることを特徴とする。【選択図】        図２
2007068416.tif 000002
【特許請求の範囲】
【請求項１】
多段に形成された栽培棚と、各栽培棚の上方に、栽培棚の長手方向に延びて配設され、栽培棚上に載置されたきのこ栽培容器に向けて光を放射する照明灯とを具備するきのこ栽培装置であって、
前記照明灯は、多数個の発光ダイオードが、防湿性を有する透明保持体内に配設されてなることを特徴とするきのこ栽培装置。
【請求項２】
前記透明保持体は、柔軟性を有する樹脂製の棒状体に形成され、前記発光ダイオードは該棒状体内に埋設されていることを特徴とする請求項１記載のきのこ栽培装置。
【請求項３】
前記透明保持体の一側に反射膜が形成されていることを特徴とする請求項１または２記載のきのこ栽培装置。
【請求項４】
前記照明灯が、前記栽培棚の幅方向に複数列配設されていることを特徴とする請求項１〜３のうちのいずれか一項記載のきのこ栽培装置。
【請求項５】
前記照明灯が、前記栽培棚の幅方向に往復動自在に配設され、往復動装置により、往復動されることを特徴とする請求項１〜４のうちのいずれか一項記載のきのこ栽培装置。
【請求項６】
前記発光ダイオードは、ピーク波長が３７０〜５００ｎｍの光を照射するものであることを特徴とする請求項１〜５のうちのいずれか一項記載のきのこ栽培装置。
【請求項７】
前記発光ダイオードは、前記透明保持体内において並列に接続されていることを特徴とする請求項１〜６のうちのいずれか一項記載のきのこ栽培装置。
【発明の詳細な説明】
【技術分野】
【０００１】
本発明はきのこ栽培装置に関し、より詳細には高湿度条件下で好適に用いることができる発光ダイオードを用いたきのこ栽培装置に関する。
【背景技術】
【０００２】
きのこ栽培装置の光源として発光ダイオードを用いたきのこ栽培装置については、例えば特許文献１に記載されているものがある。
特許文献１において開示されているきのこ栽培装置は、きのこを栽培する過程の一部において、発光ダイオードにより適切な波長の光をきのこに照射するものである。これにより、収量の増加、生育の均一化及び使用エネルギーの削減をして、きのこ栽培の生産性を大幅に向上させることが可能になった。
【特許文献１】特開２００４−３０５１９２号公報
【発明の開示】
【発明が解決しようとする課題】
【０００３】
きのこの人工栽培において、とりわけ、ぶなしめじやえのき茸におけるきのこ栽培においては、湿度９０％という高湿度条件下で栽培を行う工程がある。
このような過酷な条件下において発光ダイオードを用いた照明灯を使用すると、接点部分が腐食し易く、照明灯が長持ちしないという課題がある。
【課題を解決するための手段】
【０００４】
本発明は、高湿度条件下においてきのこ栽培に必要な電気製品を使用する場合において、接点部分にさびを生じさせることなく、長寿命化が可能なきのこ栽培装置を提供することを目的としている。
【０００５】
すなわち、本発明は、多段に形成された栽培棚と、各栽培棚の上方に、栽培棚の長手方向に延びて配設され、栽培棚上に載置されたきのこ栽培容器に向けて光を放射する照明灯とを具備するきのこ栽培装置であって、前記照明灯は、多数個の発光ダイオードが、防湿性を有する透明保持体内に配設されてなることを特徴とするきのこ栽培装置である。
【０００６】
また、前記透明保持体は、柔軟性を有する樹脂製の棒状体に形成され、前記発光ダイオードは該棒状体内に埋設されていることを特徴とする。これにより、照明灯を任意の配列にセットすることができ、必要なところに必要なだけの光を供給することができる。
【０００７】
また、前記透明保持体の一側に反射膜が形成されていることを特徴とする。これによれば、発光ダイオードからの光を効率的に利用することができるため、消費電力を削減することができる。
【０００８】
また、前記照明灯が、前記栽培棚の幅方向に複数列配設されていることを特徴とする。
また、前記照明灯が、前記栽培棚の幅方向に往復動自在に配設され、往復動装置により、往復動されることを特徴とする。
これらによれば、きのこに対して万遍なく所定の光を照射することができるため、きのこを均一に生長させ、丈の長さを揃えることができる。  
【０００９】
前記発光ダイオードは、ピーク波長が３７０〜５００ｎｍの光を照射するものであることを特徴とする。これによれば、芽出し工程において、きのこのはく離を抑制することができる。
【００１０】
また、前記発光ダイオードは、前記透明保持体内において並列に接続されていることを特徴とする。これにより、照明灯を適宜数の発光ダイオードを含むように、適当な長さに切断して用いることができる。
【発明の効果】
【００１１】
発光ダイオードが防湿性を有する透明保持体に埋設されているので、高湿度条件下での使用であっても、腐食による接点のさびの発生等を防止でき、照明灯の長寿命化を図ることができる。
【発明を実施するための最良の形態】
【００１２】
以下に、本発明に係るきのこ栽培装置について実施の形態に基づいて詳細に説明する。
図１は、本実施の形態におけるきのこ栽培装置の正面図である。図２は、本実施の形態におけるきのこ栽培装置の側面図である。図３は、図２中のＡ部分の拡大図である。図４は、図１中のＺ方向矢視図である。図５は、図４中のＡ−Ａ線における断面図である。
本実施の形態におけるきのこ栽培装置１００は、支柱１０に所要間隔をあけて多段（図示の例では４段）に形成された栽培棚２０と、各栽培棚２０の上方に配設された照明灯３０とを有している。各栽培棚２０には、きのこ栽培容器４０を収納するトレイ５０が搬入されている。
【００１３】
支柱１０は、栽培棚２０を支持し、きのこ栽培装置１００を自立させるために、栽培棚２０の両端部の四隅、および側部の適宜位置において固定されている。栽培棚２０の下面には栽培棚２０を支えるための梁１２が支柱１０の取り付け位置に合わせて取り付けられている。すなわち梁１２の両端部は支柱１０に溶接等により固定されている。トレイ５０には、例えば４列１６本のきのこ栽培容器４０が収容された状態で栽培棚２０上に複数個載置される。以上の構成は、従来技術におけるきのこ栽培装置と同様の構成である。
栽培棚２０の上方には、照明灯３０が配設されている。照明灯３０は栽培棚２０の長手方向に沿って取付具６０を介して一段上の栽培棚２０を支える梁１２に取り付けられている。照明灯３０は、図２に示すように、栽培棚２０の長手方向に沿ってトレー５０一列に対して一本の割合で配設されている。
【００１４】
本実施の形態における照明灯３０の光源には発光ダイオード３２が用いられている。発光ダイオード３２は、柔軟性と防湿性を有する透明保持体３４内に設けられている。透明保持体３４は筒状体に形成されており、透明保持体３４の一側（発光ダイオード３２の背面側）には、発光ダイオード３２が照射した光を反射させるための反射膜３６が配設されている。
また、透明保持体３４は、筒状体の内部空間に発光ダイオード３２と反射膜３６がそれぞれ配設された後、柔軟性を有する透明な絶縁樹脂３８が充てんされ、透明で柔軟性を有する棒状体に形成されている。透明保持体３４と絶縁樹脂３８の材料は同じものを用いることができる。なお、本実施の形態においては、透明保持体３４と絶縁樹脂３８の材料にポリ塩化ビニル（ＰＶＣ）を用いている。
【００１５】
本実施の形態においては、透明保持体３４の内部に発光ダイオード３２が並列に埋設されている。発光ダイオード３２ａ，３２ｂは透明保持体３４の内部に配設され、図示しない電源装置に接続された３本のリード線３３ａ，３３ｂ，３３ｃに並列に接続されている（図５）。本実施の形態においては発光ダイオード３２を１ｍ当たり３６個配設している。
図５からも明らかなように、リード線３３ａとリード線３３ｂに電流を流せば発光ダイオード３２ａが発光する。また、リード線３３ｂとリード線３３ｃに電流を流せば発光ダイオード３２ｂが発光する。このように、リード線３３ａ，３３ｂ，３３ｃのうち隣接する２本に電流を流すことで発光ダイオード３２ａ，３２ｂを選択的に発光させることができる。
また、発光ダイオード３２ａ，３２ｂの発光波長のピークを意図的にずらしておけば、きのこの栽培過程に応じて適切な波長の光を選択的に照射することも可能になる。なお、本実施の形態においては、少なくともひとつの発光ダイオード３２が照射する光のピーク波長は３７０〜５００ｎｍとなるように設定されている。
【００１６】
以上のように本実施の形態における照明灯３０は透明保持体３４内のリード線３３に発光ダイオード３２が並列に接続されているので、照明灯３０（透明保持体３４）を任意の位置で切断することができる。また、切断面を防水性材料により水密に被覆すれば、栽培棚２０の長さに照明灯３０の長さをあわせて配設することができ、きのこ栽培容器４０の上方空間のクリアランスが確保しやすくなる。これにより栽培装置１００が省スペースになり、効率的なきのこ栽培が可能になる。
【００１７】
次に取付具６０について説明する。図６は、取付具の取り付け状態を示す説明図である。（Ａ）はきのこ栽培装置の正面側から見た状態を示し、（Ｂ）はきのこ栽培装置の側面側から見た状態を示している。
取付具６０は、梁１２に着脱する着脱部６２と、照明灯３０を支持する支持部６４を有している。着脱部６２と支持部６４はそれぞれＣ字状に形成されている。着脱部６２と支持部６４は互いに開口部分を反対側に向けると共に、ねじれた状態で互いに接続されている。
着脱部６２の内径は梁１２の外径よりも若干大径に形成されていると共に、着脱部６２の開口部分の幅寸法は梁１２の外形寸法よりも狭く形成されている。
一方、支持部６４の内径寸法は、照明灯３０の外径寸法よりも若干大径に形成されていると共に、支持部６４の開口部分の幅寸法は照明灯３０の直径よりも狭くなるように形成されている。
【００１８】
このように形成されている取付具６０は、着脱部６２を弾性変形させ、開口部分の幅をひろげて梁１２に装着される。取付具６０は図６に示すように、梁１２にぶら下がった状態で装着されるので、梁１２の配設方向（栽培棚２０の延長方向と水平方向に直交する方向）に往復動自在にセットされる。また、照明灯３０は取付具６０を梁１２に装着する方法と同様にして行うことができる。
【００１９】
きのこは光源に向かって成長する性質がある。よって、照明灯３０ときのこ栽培用容器４０の位置関係によっては、栽培したきのこが斜めに成長してしまうおそれがある。このような斜めに成長したきのこは商品価値が下がってしまうため、成長度合いに応じて照明灯３０の位置を変更することが必要になる。本実施の形態における取付具６０は、きのこ栽培容器４０の上をスライド自在に設けられているため、照明灯３０ときのこ栽培容器４０との位置関係を適切に維持することができ、真っ直ぐに成長した商品価値の高いきのこを栽培することができる。
照明灯３０の栽培棚２０の幅方向への移動は手動で行ってもよいし、あるいは適宜な駆動部（図示せず）を設けて、電動によって往復動させる形態であってもよい。
【００２０】
次に、本実施の形態におけるきのこの栽培装置１００を用いたきのこの栽培方法について具体的に説明する。ここでは、えのきだけの栽培方法について説明する。
きのこ栽培容器４０に培地を収容し殺菌処理をした後に、培地に種菌を接種して培養する。培養が終了した後、菌掻きをして芽出し室へ移動させる。芽出し室は温度が約１５℃で、湿度は約９８％に設定されている。また、芽出し室は通常は暗室であり、作業灯のみが用いられている。照明灯３０は作業灯としても用いることができる。培地から芽が出てきた後、照明灯３０からピーク波長が３７０〜５００ｎｍの光を間欠照射する。このようにすることで、培地からの芽のはく離が好適に抑制されると共に、芽の伸びが抑制され、均一な芽出しをすることができる。また、照射する光のピーク波長を紫外線領域に設定すれば、培地の雑菌を減らし、芽出し段階において生じる雑菌による病気の発生を抑えることもできる。
芽出し室により芽出しをして均一な子実体原基を形成した後、生育室へ移動する。生育室の環境は芽出し室の環境とほぼ同じ環境である。生育室では、照明灯３０により、２００ルクス程度の光を１５分間隔で間欠照射して子実体を成長させる。きのこが照明灯３０に向かって傾斜しながら成長しそうな場合には、取付具６０をスライドさせて、きのこが真っ直ぐに成長するように適宜調整を行う。きのこが所要の大きさまで成長したものから順次収穫をする。
【００２１】
以上に、実施の形態に基づいて本願発明に係るきのこ栽培装置について詳細に説明してきたが、本願発明は本実施の形態に限定されるものではなく、発明の要旨を変更しない範囲において各種の変更がなされても、本発明の技術的範囲に属することはいうまでもない。
本実施の形態においては、図４に示すように、２つの発光ダイオード３２ａ，３２ｂがリード線３３ａ，３３ｂ，３３ｃの延長方向に対して水平方向に直交する同一直線上に接続されている。他の接続方法として例えば高輝度の発光ダイオード３２を使用する場合、図７に示すように、発光ダイオード３２ａ，３２ｂがリード線３３ａ，３３ｂ，３３ｃに対して千鳥配列となるように接続することもできる。これにより、照明灯３０の単位長さ当たりに使用する発光ダイオード３２の数を削減することができ、照明灯３０の製造コストを低減させることが可能になる。
また、透明保持体３４の内部に配設する発光ダイオード３２の列数は２列に制限されるものではなく、必要に応じて、１列又は３列以上を配設することもできる。
【００２２】
また、本実施の形態においては、透明保持体３４の内部に絶縁体樹脂３８が充てんされているが、透明保持体３４の内部は必ずしも絶縁樹脂３８による充てんがなされていなくてもよい。要は、透明保持体３４の内部空間と透明保持体３４の外部において水分（湿気）の絶縁がなされていれば良いので、透明保持体３４の両端部分に水密な栓をする形態であってもよい。
さらに、透明保持体３４の一側（発光ダイオード３２の背面側）には透明保持体３４の内部空間に反射膜３６が配設されているが、反射膜３６は必ずしも透明保持体３４の内部空間に配設しなくてもよい。他の形態として、例えば図８に示すように、発光ダイオード３２の背面側に透明保持体３４に隣接して反射膜３６が貼付された傘３７を配設する形態であってもよいのはもちろんである。ここで用いる傘３７は、従来技術において照明灯３０として用いられていた蛍光灯の傘３７（反射板）を流用すれば、反射膜３６の貼り付けを省略することもできる。よって、既存のきのこ栽培装置１００を有している場合においては、反射膜３６のない照明灯３０を使用することができるので、本発明にかかるきのこ栽培装置１００を低コストで導入することが可能になる。
【００２３】
さらにまた、照明灯３０は、取付具６０を介して栽培棚２０の延長方向と直交する水平方向に往復動自在かつ複数列に取り付けられている。また、図１，図２にから明らかなように、照明灯３０どうしは互いにほぼ平行となるように梁１２に取り付けられている。他の形態としては、例えば、照明灯３０は栽培棚２０に対し単数または往復動しない固定式に取り付ける形態や、栽培棚２０の延長方向に蛇行させながら取り付ける形態も可能である。また図９に示すように、各栽培棚２０，２０・・・に、一本の照明灯３０を用いて一筆書きのようにして電源装置Ｐに電気的に接続させて取り付けすることもできる。
【図面の簡単な説明】
【００２４】
【図１】本実施の形態におけるきのこ栽培装置の正面図である。
【図２】本実施の形態におけるきのこ栽培装置の側面図である。
【図３】図２中のＡ部分の拡大図である。
【図４】図１中のＺ方向矢視図である。
【図５】図４中のＡ−Ａ線における断面図である。
【図６】取付具の取り付け状態を示す説明図である。
【図７】照明灯の他の実施形態の一例を示す説明図である。
【図８】照明灯の反射膜の他の実施形態の一例を示す説明図である。
【図９】きのこ栽培装置への照明灯の取付方法の他の実施の形態の一例を示す説明図である。
【符号の説明】
【００２５】
１０  支柱
１２  梁
２０  栽培棚
３０  照明灯
３２  発光ダイオード
３３  リード線  
３４  透明保持体
３６  反射膜
３７  傘（反射板）
３８  絶縁樹脂
４０  栽培容器
５０  トレイ
６０  取付具
６２  着脱部
６４  支持部
１００  きのこ栽培装置
【図１】
2007068416.tif 000003
【図２】
2007068416.tif 000004
【図３】
2007068416.tif 000005
【図４】
2007068416.tif 000006
【図５】
2007068416.tif 000007
【図６】
2007068416.tif 000008
【図７】
2007068416.tif 000009
【図８】
2007068416.tif 000010
【図９】
2007068416.tif 000011